(57)【要約】【課題】積層平海苔束を整列させた状態で結び目を形成することなく結束することができる積層平海苔束結束方法及び装置を提供する。【解決手段】搬送コンベヤ３で搬入された、平海苔束を積層した積層平海苔束Ｌを支持し結束する位置で停止させて搬送コンベヤ３から持ち上げ、持ち上げられた積層平海苔束を整列させ、整列させた積層平海苔束の上に結束紙を送り込み、積層平海苔束を結束紙の上から押さえて圧縮し、圧縮された積層平海苔束をそのままさらに上昇させ、上昇した圧縮された積層平海苔束の前後に垂れている結束紙の端部を積層平海苔束の下側に送り込んで重ね、重ねた結束紙の端部を接着して積層平海苔を結束し、結束した積層平海苔束を搬送コンベヤ３に降ろして搬出することを特徴とする。【選択図】図１ａ
2007297063.tif 000002
【特許請求の範囲】
【請求項１】
搬入された積層平海苔束を搬送コンベヤから持ち上げ、
持ち上げられた積層平海苔束を整列させ、
整列させた積層平海苔束の上に送り込まれた結束紙の上から積層平海苔束を押さえて圧縮し、
圧縮された積層平海苔束をそのままさらに上昇させ、
上昇した位置で圧縮された積層平海苔束を結束し、
結束した積層平海苔束を搬送コンベヤに降ろして搬出することを特徴とする積層平海苔束の結束方法。
【請求項２】
積層平海苔束を搬入するととともに、結束された積層平海苔束を搬出する搬送コンベヤを備えた積層平海苔束搬送手段と、
前記搬送コンベヤ上の積層平海苔束の両側を下から支持して上昇させた後に間隔を狭めて積層平海苔束に当接させるとともに、さらに結束位置まで上昇し、結束後に積層平海苔束を搬送コンベヤへ降ろす、対向して配置された前進後退可能な一対の支持板を供えた積層平海苔束支持手段と、
前記支持板に支持された積層平海苔束の前後方向の整列を行う起立可能な整列板を備えた積層平海苔束整列手段と、
積層平海苔束の上に結束紙を供給する結束紙供給手段と、
前記支持板に支持された積層平海苔束上の結束紙の上から押さえて積層平海苔束を圧縮する昇降可能な圧縮板を備えた積層平海苔束圧縮手段と、
前記支持板が上昇した位置で圧縮された積層平海苔束を結束する積層平海苔束結束手段とからなることを特徴とする積層平海苔束結束装置。
【請求項３】
前記結束紙供給手段が、結束紙を収納する水平の結束紙収納ケースと結束紙収納ケースから引き出された結束紙を下方に垂直にガイドする垂直ガイド板を備え、結束紙収納ケースと垂直ガイド板の間に、結束紙収納ケースの排紙側の上部に結束紙を真空吸着し、垂直ガイド板側に前進する結束紙吸着送りが設けられ、結束紙吸着送りにより送り出された結束紙の先端を挟み込んで引き出す一対の引出ローラと、引出ローラで引き出された結束紙を下方へ方向転換させる円弧状の方向転換用ガイドと、方向転換された結束紙の先端を挟持して垂直ガイド板へ送り込む送りローラが配置されていることを特徴とする請求項２記載の積層平海苔束結束装置。
【請求項４】
前記積層平海苔束整列手段が、支持板に支持された積層平海苔束に当接して前後から整列させる支持板の当接板と前記整列板であることを特徴とする請求項２又は３記載の積層平海苔束結束装置。
【請求項５】
前記積層平海苔束整列手段が、積層平海苔束に当接して前後から整列させる起立可能な対向して配置された整列板であることを特徴とする請求項２又は３記載の積層平海苔束結束装置。
【請求項６】
積層平海苔束結束手段が、前記支持板の上昇により平海苔束の前後に垂れた結束紙の端部のそれぞれを平海苔束及び支持板の下側に曲げて押し込んで重ねる結束紙曲げ部材と、重ねた端部を接着する接着部とからなることを特徴とする請求項２〜５のいずれかに記載の積層平海苔束結束装置。
【発明の詳細な説明】
【技術分野】
【０００１】
本発明は、複数の平海苔束を積層した積層平海苔束を結束する積層平海苔束結束方法及び積層平海苔束結束装置に関する。
【背景技術】
【０００２】
通常、乾海苔は、平海苔束（１０枚）を二つ折りして結束した形態で出荷している。近年、乾海苔の需要が、二つ折りした形態だけではなく、二つ折りしないままの平海苔束の形態でも増加しつつあるため、海苔生産者では平海苔を積層した積層平海苔束の形態での出荷対応が必要となっている。積層平海苔束は、検査をし易くする、見映えをよくする、あるいは出荷後の加工業者での作業の簡素化のために、図４に示すように、積層平海苔束の上面と下面がいずれも平海苔の表（つるつるした光沢のある面）もしくは裏（ざらざらした面）となるように、平海苔の表（裏）が上面になるように重ねた上半分の積層平海苔束（５０枚）Ｌ１と、平海苔の表（裏）が下面になるように重ねた積層平海苔束（５０枚）Ｌ２を重ねて結束した積層平海苔束（１００枚）Ｌが要求されている。
【０００３】
平海苔束を紙テープで結束できるようにするため、特許文献１には、紙テープを折り曲げて結び目を形成して平海苔束を結束することが開示されている。
【特許文献１】特開平６−１７９４１７号公報
【発明の開示】
【発明が解決しようとする課題】
【０００４】
前記特許文献１に記載された結束装置では、前工程の平海苔束整列移送機から移送される１００枚の積層平海苔束が移送コンベヤで移送中にずれたりして不揃いになったりすると、不揃いのまま結束されるおそれがある。
【０００５】
また、紙テープと積層平海苔束の間に紙テープを通して結び目を形成するため、複数の紙テープ取扱い手段が必要となるだけでなく、積層枚数の多い積層平海苔束では整列状態を維持するために通常の紙テープより幅の広いテープの対応が必要となるため、結束装置の構造が複雑となることが考えられる。
【０００６】
そこで、本発明は、積層平海苔束を整列させた状態で結び目を形成することなく結束することができる積層平海苔束結束方法及び装置を提供するものである。
【課題を解決するための手段】
【０００７】
本発明の積層平海苔束結束方法は、搬入された積層平海苔束を搬送コンベヤから持ち上げ、持ち上げられた積層平海苔束を整列させ、整列させた積層平海苔束の上に送り込まれた結束紙の上から積層平海苔束を押さえて圧縮し、圧縮された積層平海苔束をそのままさらに上昇させ、上昇した位置で圧縮された積層平海苔束を結束し、結束した積層平海苔束を搬送コンベヤに降ろして搬出することを特徴とする。
【０００８】
また、本発明の積層平海苔束結束装置は、積層平海苔束を搬入するととともに、結束された積層平海苔束を搬出する搬送コンベヤを備えた積層平海苔束搬送手段と、前記搬送コンベヤ上の積層平海苔束の両側を下から支持して上昇させた後に間隔を狭めて積層平海苔束に当接させるとともに、さらに結束位置まで上昇し、結束後に積層平海苔束を搬送コンベヤへ降ろす、対向して配置された前進後退可能な一対の支持板を供えた積層平海苔束支持手段と、前記支持板に支持された積層平海苔束の前後方向の整列を行う起立可能な整列板を備えた積層平海苔束整列手段と、積層平海苔束の上に結束紙を供給する結束紙供給手段と、前記支持板に支持された積層平海苔束上の結束紙の上から押さえて積層平海苔束を圧縮する昇降可能な圧縮板を備えた積層平海苔束圧縮手段と、前記支持板が上昇した位置で圧縮された積層平海苔束を結束する積層平海苔束結束手段とからなることを特徴とする。
【発明の効果】
【０００９】
本発明は、積層平海苔束を整列させて結束することができるので、きれいに揃った積層平海苔束が得られる。
【００１０】
また、結束紙を折り曲げて結び目を形成することなく結束できるので、結束手段の構造が簡単となる。
【発明を実施するための最良の形態】
【００１１】
図１ａは本発明の積層平海苔束結束装置の一実施例の側面概略図を、図１ｂは正面概略図を、図１ｃは平面概略図を、図１ｄは整列手段の一実施例の説明図を、図１ｅは整列手段の別実施例の説明図である。図２は圧縮板で結束紙と積層平海苔束を圧縮した状態を示す斜視図である。
【００１２】
本発明の積層平海苔束結束装置の各手段について説明する。
【００１３】
（１）積層平海苔束搬送手段
積層平海苔束結束装置（以下「結束装置」という。）の直方体のフレーム１内には、その下部に前段の工程で積層された積層平海苔束を搬入するひもコンベヤからなる第１搬送コンベヤ２と、この搬入コンベヤ２から積層平海苔束を引き継ぎ、結束後に搬出するひもコンベヤからなる第２搬送コンベヤ３が配置されている。第１搬送コンベヤ２は連続して駆動され、第２搬送コンベヤ３は積層平海苔束を受け入れた後停止し、積層平海苔束の結束後に結束された積層平海苔束を搬出するために駆動される。
【００１４】
第２搬送コンベヤ３のひもコンベヤの外幅は積層平海苔束の幅（約２１ｃｍ）の２／３程度であり、搬送されてくる積層平海苔束の両側が第２搬送コンベヤ３からそれぞれ積層平海苔束の幅の１／６程度はみ出している。本発明では、積層平海苔束を上昇させる際には、第２搬送コンベヤ３からはみ出した両側をまず支持して上昇動作を開始する。
【００１５】
第２搬送コンベヤ３は、搬送されてきた積層平海苔束を検知する進入センサ（図示せず）の検知信号によってタイマーで一定時間後に支持位置で停止する。
【００１６】
第２搬送コンベヤ３のひもの間には、昇降可能な積層平海苔束支え４が配置されている。積層平海苔束支え４は、積層平海苔束を積層平海苔束支持部材（以下「海苔支持部材」という。）５が第２搬送コンベヤ３からはみ出した積層平海苔束の両側を支持する際に、ひもの間から上昇して積層平海苔束を支持し、積層平海苔束Ｌが海苔支持部材５から落下しないようにする。
【００１７】
（２）積層平海苔束支持手段
第２搬送コンベヤ３で搬入されてきた積層平海苔束Ｌを支持して上昇し、結束紙で結束された積層平海苔束を降下により第２搬送コンベヤ３へ戻す一対のＬ字形の海苔支持部材５が、結束装置の両側の垂直フレーム６に沿って昇降するエレベータ７の下部の両側に対向して搬送コンベヤの巾方向へ互いに接近あるいは離れるように配置される。海苔支持部材５はエレベータ７に固定したシリンダ８により互いに接近あるいは離れるように水平に移動させる。なお、シリンダ８はエレベータ７に固定され、エレベータ７の昇降によりシリンダも昇降するので、外部から流体圧を供給するためのホースが結束装置の垂直フレーム６に設けた開口（図示せず）を昇降できるようにする。
【００１８】
海苔支持部材５は、エレベータ７と一体に昇降し、下死点の待機位置にある時は第２搬送コンベヤ３の上面より低いレベルにあるが、対向する海苔支持部材５の間隔を第２搬送コンベヤ３の外幅より僅かに広くしているので、そのまま昇降しても第２搬送コンベヤ３と干渉することはない。また、一対のＬ字形の海苔支持部材５は、第２搬送コンベアヤ３の上面を超えると第２搬送コンベヤ３と干渉しないので、そのまま第２搬送コンベヤ３の幅方向へ自在に互いに接近あるいは離れるように水平移動させることができる。
【００１９】
エレベータ７は、垂直フレーム６に配置されている３個の高さセンサによって海苔支持部材５が第２搬送コンベヤ３のレベルより下に位置する下死点、海苔支持部材５が第２搬送コンベヤ３より上の位置、上死点の３位置でそれぞれ所定時間停止するように段階的動作で昇降する。海苔支持部材５は、下死点で停止して搬入されてくる積層平海苔束を通過させ、積層平海苔束が停止後に第２搬送コンベヤ３より上の位置に上昇して積層平海苔束を支持して停止し、水平移動により互いに接近して積層平海苔束を確実に支持した後、上死点に上昇し、結束のために停止する。
【００２０】
また、海苔支持部材５は、第２搬送コンベヤ３より上の位置での水平移動によって積層平海苔束に当接して幅方向の整列を行う。海苔支持部材５の海苔搬入側には整列板１０に対向して海苔当接板１１が形成されている。
【００２１】
（３）積層平海苔束整列手段
第２搬送コンベヤ３の搬出側には、図１ｄに示すように、回転軸９の回転により第２搬送コンベヤ３の間で起立する整列板１０が配置され、整列板１０は起立により海苔支持部材５に支持された積層平海苔束Ｌに当接する。回転軸９の回転により起立した整列板１０と海苔支持部材５の海苔当接板１１が積層平海苔束Ｌに当接して平海苔束の前後を整列させる。なお、整列板１０は、結束された積層平海苔束が搬出される時には、積層平海苔束を通過させるために、第２搬送コンベヤ３より下の待機位置にある。
【００２２】
また、平海苔束整列手段の別実施例として、図１ｅに示すように、海苔支持部材５の海苔当接板１１に変えて、平海苔束搬入側に整列板１０に対向して、回転軸９ａの回転により第２搬送コンベヤ３の間で起立する整列板１０ａを配置し、回転軸９の回転により起立した整列板１０と回転軸９ａの回転により起立した整列板１０ａが積層平海苔束Ｌに当接して平海苔束の前後を整列させる。
【００２３】
（４）積層平海苔束圧縮手段
積層平海苔束は平海苔を単に重ねたそのままの状態では、出荷の際の梱包・輸送や、海苔の品質（柔かさ・硬さ等）によっては、後工程の水分除去のための火入れなどに支障を来すので、適度な圧縮をする必要がある。
【００２４】
エレベータ７の天井板の上に設けたシリンダ１２で昇降可能に海苔を押さえる積層平海苔束圧縮板（以下「圧縮板」という。）１３が配置される。圧縮板１３は、図２に示すように、積層平海苔束Ｌとほぼ同じ大きさであり、中央部の結束紙３０を押さえる部分の前後には、結束紙３０をガイドして位置決めする下向きに末広がりのテーパを有するガイド片１４が設けられている。
【００２５】
シリンダ１２により圧縮板１３は下降して、結束紙３０を積層平海苔束Ｌの中央の上部で押さえるとともに、海苔支持部材５との間で積層平海苔束Ｌを圧縮する。圧縮調整は、ストッパーやシリンダの圧力制御弁にて適度な圧力調整を行う。
【００２６】
（５）結束紙供給手段
複数枚の結束紙が収納される結束紙収納ケース１５がフレーム１の上部の中央に水平に配置され、結束紙収納ケース１５から引き出された結束紙を垂直に下方にガイドする垂直ガイド板１６が配置される。
【００２７】
結束紙収納ケース１５の排紙側の上部には、結束紙を真空吸着し、垂直ガイド板側に前進する結束紙吸着送り１７が設けられ、結束紙収納ケース１５の取り出し側の底部には開口が設けられ、結束紙を結束紙吸着送り１７に向けて上方に押し上げる押上部材１８が配置される。
【００２８】
結束紙収納ケース１５の排紙側の出口には結束紙吸着送り１７により送り出された結束紙の先端を挟み込んで回転により引き出す一対の引出ローラ１９が設けられている。垂直ガイド板１６の上部には、引出ローラ１９で引き出された結束紙の先端を挟み込んで回転により結束紙をガイド板１６に送り込む一対の送りローラ２０が設けられている。引出ローラ１９と送りローラ２０の間には、引出ローラ１９で引き出された結束紙を下方へ方向転換させて送りローラ２０へガイドする円弧状の方向転換用ガイド２１が配置される。
【００２９】
結束紙は、結束紙の重ねた端部の接着に熱圧着を利用する場合は、紙の表面に接着剤をコーティングした熱圧着紙を使用する。また、結束紙の重ねた端部を接着ラベルで接着する場合は、接着剤をコーティングしない紙でよい。
【００３０】
結束紙の幅は、例えば、積層平海苔束の幅約２１ｃｍの１／３〜１／２程度、あるいは、積層平海苔束の幅と同程度の幅にすることにより、結束後に積層平海苔束の形がくずれるのを防ぐことができる。結束紙の長さは積層平海苔束に巻いて端部を重ねることができる長さにする。
【００３１】
垂直ガイド板１６の下端から頭出しされた結束紙の先端は、結束紙を搬出側に送るチャッカー２２に設けられた開閉可能な挟持部２３へ導かれ、結束紙の先端が挟持部２３に達すると、挟持用センサで検知され、挟持部２３が閉じられて挟持される。
【００３２】
チャッカー２２は、エレベータ７の側面に設けられたチャッカーガイド２４に沿って結束紙の端部を挟持したまま、上方に待機している圧縮板１３と積層平海苔束の上面の間を通って結束装置の後部に水平に走行し、結束紙を垂直ガイド板１６から引き出し、停止センサで検知されて停止する。チャッカー２２の走行中には、引き出された結束紙の端部は搬送方向と直角に水平に設けられた一対の結束紙支持ローラ２５に支持される。結束紙支持ローラ２５は、チャッカー２２が走行を開始する際には開いて通過させ、走行中には結束紙が垂れて走行に支障がないように閉じて結束紙を支持し、チャッカー２２が所定距離走行して停止する。
【００３３】
（６）積層平海苔束結束手段
搬入側と搬出側のそれぞれに、積層平海苔束の前後に垂れている結束紙を前進により海苔支持部材の下面の中央に送って曲げるための結束紙曲げ部材２６，２７がフレーム１に固定されたシリンダ（図示せず）により前進後退可能に設けられている。
【００３４】
搬入側の結束紙曲げ部材２６には、海苔支持部材５の下側に曲げられた結束紙の端部をエアー噴出により海苔支持部材５の下面に押上げて結束紙の先端が垂れないように重ねた状態に保持するエアー噴出ノズル（図示せず）が配置されている。
【００３５】
さらに、搬出側の結束紙曲げ部材２７には、結束紙の端部を重ねた部分を熱圧着する熱圧着用ヒータ２８が支持され、熱圧着用ヒータ２８は結束紙曲げ部材２７により結束紙の熱圧着部へ出入りし、押さえシリンダ２９により押さえられ、テコにより回転し、上昇して熱圧着部を押さえて熱圧着する。なお、結束紙の重ねた端部を接着ラベルで接着する場合は、熱圧着用ヒータに代えて、結束紙の接着部へ出入りし接着ラベルを貼着する手段を使用してもよい。
【００３６】
次に、本発明の積層平海苔束結束装置の動作について説明する。
【００３７】
図３ａ〜図３ｌは積層平海苔束の束ね動作を示す説明図で、右は正面概略図、左は側面概略図である。
【００３８】
（１）図３ａにおいて、結束紙収納ケース１５の結束紙３０が、押上部材１８により押し上げられるとともに、結束紙吸着送り１７により吸着され、引出ローラ１９側に移動して先端が引出ローラ１９へ送られる。
【００３９】
図３ｂにおいて、結束紙３０は引出ローラ１９により引き出され、先端が方向転換用ガイド２１で下方に方向転換されて送りローラ２０に挟持され、送りローラ２０により垂直ガイド板１６で下方へガイドされて送られる。
【００４０】
（２）図３ｃにおいて、垂直ガイド板１６から引き出された結束紙３０の先端は、チャッカー２２に挟持される。
【００４１】
一方、積層平海苔束結束装置の前段のラインにおいて平海苔を積層した積層平海苔束Ｌが、第１搬送コンベヤ２で搬入され、図３ｄに示すように第２搬送コンベヤ３に移り、積層平海苔束Ｌが進入センサで検知され、進入センサの信号でタイマーが作動して一定時間後に第２搬送コンベヤ３が停止し、積層平海苔束Ｌが所定の位置に停止する。
【００４２】
（３）結束紙３０の端部を把持したチヤッカー２２は、図３ｄに示すように、積層平海苔束Ｌの上面と上昇している圧縮板１３との間を積層平海苔束Ｌの搬出側へガイド２４に沿って水平に走行し、停止センサで検知され停止する。このとき、結束紙支持ローラ２５はチヤッカー２２の通過時には開き、チャッカー２２の通過後は閉じて結束紙３０の搬入側の端部を挟んで支持する。
【００４３】
（４）図３ｅにおいて、エレベータ７に支持された海苔支持部材５を第２搬送コンベヤ３のレベルより上昇させて海苔支持部材５により第２搬送コンベヤ３上の積層平海苔束Ｌの両端を下から支持して第２搬送コンベヤ３上から離して浮かす。このとき、海苔支持部材５で積層平海苔束Ｌを確実に支持するために第２搬送コンベヤ３の間に配置された積層平海苔束支え４を上昇させて積層平海苔束Ｌを下から支える。
【００４４】
（５）図３ｆにおいて、対向する海苔支持部材５は第２搬送コンベヤ３より上に位置しているので、海苔支持部材５を両側から中央部に寄せて積層平海苔束Ｌに当接させるとともに、整列板１０を回転軸９の回転により起立させて海苔支持部材５の海苔当接板１１との間で積層平海苔束Ｌを整列させる。また、海苔支持部材５を両側から中央部に寄せることにより、積層平海苔束Ｌを海苔支持部材５のみで安定して支持できるようになる。その間に図３ｅに示す積層平海苔束支え４は第２搬送コンベヤ３の下へ降下する。
【００４５】
（６）海苔支持部材５を寄せて積層平海苔束Ｌを整列し支持した後、図３ｇ）において、圧縮板１３をシリンダ１２で下降させて結束紙３０を押し下げて積層平海苔束Ｌの上部に載せ、さらに圧縮板１３と海苔支持部材５の間で積層平海苔束を圧縮する。この時、結束紙３０の端部が圧縮板１３と積層平海苔束Ｌの間に挟まれると同時にチャッカー２２と結束紙支持ローラ２５から開放される。また、結束紙３０はガイド片１４の間に保持され、ずれることはない。
【００４６】
（７）図３ｈにおいて、積層平海苔束Ｌを圧縮した状態でエレベータ７を上昇させると、結束紙３０の両端が積層平海苔束Ｌの前後の下面で、搬入側の結束紙曲げ部材２６、搬出側の結束紙曲げ部材２７の手前に垂れる。
【００４７】
（８）図３ｉにおいて、結束紙３０の垂れた端部を搬入側の結束紙曲げ部材２６をシリンダで中央に動かし、積層平海苔束Ｌを支持する海苔支持部材５の下側に沿って押し込んで曲げ、エアー噴出装置（図示せず）からエアーを噴出させて先端が垂れないように保持する。次いで、同様にして垂れた端部を搬出側の結束紙曲げ部材２７で積層平海苔束Ｌを支持する海苔支持部材５の下側に曲げて押し込み結束紙３０の端部を海苔支持部材５の下面で重ねる。
【００４８】
搬出側の結束紙曲げ部材２７と共に進入した一定温度に保持された熱圧着用ヒータ２８を、押さえシリンダ２９を下降させてテコにより押し上げて当接させて熱圧着する。圧着後、結束紙曲げ部材２６および熱圧着用ヒータ２８は元の位置に後退する。こうして積層平海苔束Ｌは圧縮した状態で結束紙３０により束ねられる。
【００４９】
（９）図３ｊにおいて、圧縮板１３で積層平海苔束Ｌを圧縮させた状態で、エレベータ７を下降させ、結束した積層平海苔束Ｌを支持した海苔支持部材５を第２搬送コンベヤ３よりやや上の位置で停止させる。
【００５０】
その後、図３ｋに示すように、圧縮板１３をシリンダ１２で上昇させるとともに、チャッカー２２は搬入側の待機位置に戻る。その後、海苔支持部材５を搬送コンベヤと干渉しない幅まで拡げ、次に、エレベータ７を下降させて海苔支持部材５を搬送コンベヤ３のレベル以下まで下降させると、積層平海苔束Ｌは第２搬送コンベヤ３の上に載り、図３ｌの示すように、第２コンベヤ３が駆動して搬出される。
【００５１】
以上の工程により、整列された状態で、結束紙３０が積層平海苔束Ｌの幅（約２１ｃｍ）の中央部に長さ（約１９ｃｍ）方向に結束された積層平海苔束を得ることができる。
【図面の簡単な説明】
【００５２】
【図１ａ】本発明の積層平海苔束結束装置の一実施例の側面概略図である。
【図１ｂ】本発明の積層平海苔束結束装置の一実施例の正面概略図である。
【図１ｃ】本発明の積層平海苔束結束装置の一実施例の平面概略図である。
【図１ｄ】本発明の積層平海苔束結束装置の整列手段の一実施例の説明図である。
【図１ｅ】本発明の積層平海苔束結束装置の整列手段の別実施例の説明図である。
【図２】圧縮板で結束紙と積層平海苔束を圧縮した状態を示す斜視図である。
【図３ａ】積層平海苔束の束ね動作を示す説明図で、右は正面概略図、左は側面概略図である。
【図３ｂ】積層平海苔束の束ね動作を示す説明図で、右は正面概略図、左は側面概略図である。
【図３ｃ】積層平海苔束の束ね動作を示す説明図で、右は正面概略図、左は側面概略図である。
【図３ｄ】積層平海苔束の束ね動作を示す説明図で、右は正面概略図、左は側面概略図である。
【図３ｅ】積層平海苔束の束ね動作を示す説明図で、右は正面概略図、左は側面概略図である。
【図３ｆ】積層平海苔束の束ね動作を示す説明図で、右は正面概略図、左は側面概略図である。
【図３ｇ】積層平海苔束の束ね動作を示す説明図で、右は正面概略図、左は側面概略図である。
【図３ｈ】積層平海苔束の束ね動作を示す説明図で、右は正面概略図、左は側面概略図である。
【図３ｉ】積層平海苔束の束ね動作を示す説明図で、右は正面概略図、左は側面概略図である。
【図３ｊ】積層平海苔束の束ね動作を示す説明図で、右は正面概略図、左は側面概略図である。
【図３ｋ】積層平海苔束の束ね動作を示す説明図で、右は正面概略図、左は側面概略図である。
【図３ｌ】積層平海苔束の束ね動作を示す説明図で、右は正面概略図、左は側面概略図である。
【図４】積層平海苔束を示す斜視図である。
【符号の説明】
【００５３】
１：フレーム                  ２：第１搬送コンベヤ
３：第２搬送コンベヤ          ４：積層平海苔束支え
５：海苔支持部材              ６：垂直フレーム
７：エレベータ                ８：シリンダ
９，９ａ：回転軸            １０，１０ａ：整列板
１１：海苔当接板              １２：シリンダ
１３：圧縮板                  １４：ガイド片
１５：結束紙収納ケース        １６：垂直ガイド板
１７：結束紙吸着送り          １８：押上部材
１９：引出ローラ              ２０：送りローラ
２１：方向転換用ガイド        ２２：チャッカー
２３：挟持部                  ２４：ガイド
２５：結束紙支持ローラ        ２６：搬入側の結束紙曲げ部材
２７：搬出側の結束紙曲げ部材  ２８：熱圧着用ヒータ
２９：押さえシリンダ          ３０：結束紙
【図１ａ】
2007297063.tif 000003
【図１ｂ】
2007297063.tif 000004
【図１ｃ】
2007297063.tif 000005
【図１ｄ】
2007297063.tif 000006
【図１ｅ】
2007297063.tif 000007
【図２】
2007297063.tif 000008
【図３ａ】
2007297063.tif 000009
【図３ｂ】
2007297063.tif 000010
【図３ｃ】
2007297063.tif 000011
【図３ｄ】
2007297063.tif 000012
【図３ｅ】
2007297063.tif 000013
【図３ｆ】
2007297063.tif 000014
【図３ｇ】
2007297063.tif 000015
【図３ｈ】
2007297063.tif 000016
【図３ｉ】
2007297063.tif 000017
【図３ｊ】
2007297063.tif 000018
【図３ｋ】
2007297063.tif 000019
【図３ｌ】
2007297063.tif 000020
【図４】
2007297063.tif 000021